(57)【特許請求の範囲】
【請求項１】
平坦な表面を有する支持台上に保持されたグリーンシートに対し、カット刃を垂直に降下させることでグリーンシートから分離片を押し切りカットするカット装置において、
上記支持台の表面であって、カット刃の降下位置より分離片側の部位に、上記分離片の倒れを許容する逃がし部を設けたことを特徴とするカット装置。
【請求項２】
底面にフィルムを貼り付けたグリーンシートを平坦な表面を有する支持台上に保持し、フィルムを完全にカットしない位置までカット刃を垂直に降下させることで、グリーンシートから分離片を押し切りカットするカット装置において、
上記支持台の表面であって、カット刃の降下位置より分離片側の部位に、上記分離片の倒れを許容する逃がし部を設けたことを特徴とするカット装置。
【請求項３】
上記逃がし部は、カット刃の降下位置から分離片側へ延びる凹段部であることを特徴とする請求項１又は２に記載のカット装置。
【請求項４】
上記逃がし部は、カット刃の降下位置から分離片側へ延びる一定勾配の傾斜面であることを特徴とする請求項１又は２に記載のカット装置。
【請求項５】
上記逃がし部は、カット刃の降下位置から分離片側へ延び、グリーンシートより柔らかい弾性部材で構成されていることを特徴とする請求項１又は２に記載のカット装置。
【発明の詳細な説明】
【０００１】
【発明の属する技術分野】
本発明はセラミックグリーンシートなどのグリーンシートをカット刃を用いてカットする装置に関するものである。
【０００２】
【従来の技術】
従来より、積層セラミックコンデンサやチップソリッドインダクタ，セラミック多層基板などを製造する際、セラミックグリーンシートが用いられる。このようなグリーンシートを細幅にカットする場合、テーブル上に保持されたグリーンシートに対し、カット刃を垂直に降下させることでグリーンシートをカットする方法が用いられることがある。
【０００３】
図１は従来のカット装置の一例を示す。テーブル１の上にはグリーンシートＧが水平に保持されている。テーブル１の上方には刃ホルダ２によって保持されたカット刃３が配置され、刃ホルダ２を降下させることで、カット刃３をグリーンシートＧに食い込ませてカットするようになっている。
【０００４】
【発明が解決しようとする課題】
しかし、カット刃３がグリーンシートＧに進入すると、図２に示すように、チップとなる分離片ｇが外側へ曲げられ、この変形が塑性変形としてカット後も残ってしまう。このため、切り離し前のグリーンシートＧの端面形状が良好なものであっても、チップ状に切り離すことによって、図３に示すように、切断面４が曲がった状態となり、製品形状の悪化を招くという欠点があった。
【０００５】
そこで、本発明の目的は、分離片の切断面の曲がりを防止し、良好な製品形状を得ることが可能なグリーンシートのカット装置を提供することにある。
【０００６】
【課題を解決するための手段】
上記目的を達成するため、請求項１に記載の発明は、平坦な表面を有する支持台上に保持されたグリーンシートに対し、カット刃を垂直に降下させることでグリーンシートから分離片を押し切りカットするカット装置において、上記支持台の表面であって、カット刃の降下位置より分離片側の部位に、上記分離片の倒れを許容する逃がし部を設けたことを特徴とするカット装置を提供する。
また、請求項２に記載の発明は、底面にフィルムを貼り付けたグリーンシートを平坦な表面を有する支持台上に保持し、フィルムを完全にカットしない位置までカット刃を垂直に降下させることで、グリーンシートから分離片を押し切りカットするカット装置において、上記支持台の表面であって、カット刃の降下位置より分離片側の部位に、上記分離片の倒れを許容する逃がし部を設けたことを特徴とするカット装置を提供する。
【０００７】
支持台上にグリーンシートを水平に保持し、その上からカット刃を降下させると、カット刃の下端でグリーンシートが押し切られる。このとき、カット刃の刃面の傾きによって分離片が外側へ曲げられる。このとき、分離片の底面を支える支持台の表面には、カット刃の降下位置より分離片側の部位に逃がし部が設けられているので、分離片が逃がし部側へ倒れ込むことによって、切断面の曲がりが抑制される。
【０００８】
上記逃がし部としては、種々の構造が考えられる。例えば、カット刃の降下位置から分離片側へ延びる凹段部を設けてもよい。この場合、カット刃の降下位置にはカット刃による押し下げ荷重が作用するので、凹段部を設けることができないが、それより分離片側に凹段部を設けることで、分離片の倒れ込みを容易にすることができる。
【０００９】
また、カット刃の降下位置から分離片側へ延びる一定勾配の傾斜面を設けてもよい。この場合には、カット後の分離片を傾斜面上に整列させることができるので、分離片の取出が容易となる。
【００１０】
さらに、カット刃の降下位置から分離片側へ延び、グリーンシートより柔らかい弾性部材で構成してもよい。この場合には、弾性部材を支持台表面と面一状に配置することで、カット後の分離片をグリーンシートと同一高さに保持でき、分離片の取出を容易にすることができる。
【００１１】
【発明の実施の形態】
図４は本発明にかかるカット装置の第１実施例を示し、この例ではカットすべき加工物として積層セラミックグリーンシートＧを用いた。
図４において、１０はテーブルであり、その表面にはグリーンシートＧが水平に保持されている。テーブル１０上にグリーンシートＧを安定に保持するために、テーブル１０の少なくとも表層部を多孔質または多数の通気穴を有する材料で形成し、テーブル１０の下方より真空吸引することで、テーブル１０上のグリーンシートＧを吸着保持するのが望ましい。なお、カット後は吸着保持を解除し、１ピッチずつグリーンシートＧを矢印方向へ移動させるようになっている。
【００１２】
テーブル１０の上方には、カット刃１２が垂直に配置されている。カット刃１２は図示しない昇降手段によって上下方向に昇降駆動される。
【００１３】
テーブル１０の表面であって、カット刃１２の降下位置より分離片ｇ側の部位に、分離片ｇの倒れを許容する逃がし部１１が設けられている。分離片ｇとは、チップ状の部品でもよいし、短冊状の部品でもよい。この実施例の逃がし部１１は、カット刃１２の降下位置から分離片ｇ側へ延びる凹段部であり、凹段部１１の幅（図４の紙面と垂直方向の寸法）はグリーンシートＧの幅より広い。
【００１４】
ここで、上記構成のカット装置の動作を説明する。
まず、テーブル１０上の所定位置にグリーンシートＧを配置する。このとき、グリーンシートＧの先端面は凹段部１１の端面より分離片ｇの１個分だけ突出している。この状態で、グリーンシートＧをテーブル１０上に吸着保持し、カット刃１２を降下させる。
カット刃１２がグリーンシートＧに進入すると、チップあるいは短冊状にカットされる分離片ｇが外側へ曲がるように変形しようとするが、分離片ｇの底面を支えるテーブル１０の表面には凹段部１１が設けられているので、分離片ｇが凹段部１１側へ倒れ込むことによって、分離片ｇに圧縮変形が生じず、切断面の曲がりが抑制される。カットされた分離片ｇは凹段部１１の底面上に配列される。
１本目のカットを行なった後、カット刃１２が上昇し、グリーンシートＧが矢印方向へ１ピッチ分だけ送られるとともに、カットされた分離片ｇも矢印方向へ送られる。その後、グリーンシートＧを再度保持し、上記と同様にカット刃１２を降下させてグリーンシートＧのカットを行なう。
【００１５】
上記のように、テーブル１０に逃がし部１１を設けることにより、分離片ｇ側の切断面の傾きあるいは曲がりを抑制できるが、カット刃１２として両刃を用いると、グリーンシートＧ側の切断面に傾きあるいは曲がりが発生することがある。このような傾きあるいは曲がりを抑制するため、図５に示すように、片刃よりなるカット刃１３を用いてもよい。この場合、カット刃１３の傾斜部１３ａを分離片ｇ側に向けてカットするのが望ましい。
【００１６】
図６は本発明にかかるカット装置の第２実施例を示す。この実施例において、第１実施例（図４）と同一部品には同一符号を付して重複説明を省略する。
この実施例では、テーブル１０に設けられる逃がし部を、カット刃１２の降下位置から分離片ｇ側へ延びる一定勾配の傾斜面１４としてある。そのため、分離片ｇが傾斜面１４側へ倒れ込むことによって、切断面の曲がりが抑制されるとともに、カットされた分離片ｇを傾斜面１４にそって整列させることができ、分離片ｇの姿勢が安定し、分離片ｇの取出が容易となる。
【００１７】
なお、両刃のカット刃１２を用いた場合には、傾斜面１４の傾きαをカット刃１２の刃先角度βの１／２以上とするのが望ましい。
α≧β／２
また、片刃のカット刃１３（図５参照）を用いた場合には、傾斜面１４の傾きαをカット刃１３の刃先角度γ以上とするのが望ましい。
α≧γ
【００１８】
図７は本発明にかかるカット装置の第３実施例を示し、第１実施例（図４）と同一部品には同一符号を付して重複説明を省略する。
この実施例では、テーブル１０に設けられる逃がし部を、カット刃１２の降下位置から分離片ｇ側へ延び、グリーンシートＧより柔らかい弾性部材１５で構成したものである。弾性部材１５としては、例えばシリコーンゴムなどを用いることができる。非変形時における弾性部材１５の表面はテーブル１０の表面と面一である。
【００１９】
この実施例の場合、カット時における分離片ｇの倒れを弾性部材１５の弾性変形によって許容し、カット後は弾性部材１５が復元するので、グリーンシートＧと同一平面上に分離片ｇを並べることができる。したがって、分離片ｇの取出が一層容易となる。
この実施例の場合も、カット刃１２として両刃に限らず、片刃を用いてもよい。
【００２１】
上記実施例では、グリーンシートＧをテーブル１０上に直接載置する例を示したが、底面に樹脂フィルムを貼り付けたグリーンシートＧを載置してもよい。この場合には、樹脂フィルムによってグリーンシートＧをテーブル１０上で容易に滑らせることができるとともに、グリーンシートＧを吸着保持した時にグリーンシートＧに吸着痕が残らない。なお、グリーンシートＧを分離片ｇにカットした際に樹脂フィルムがカットされないようにすれば、カット後の分離片ｇをフィルム上に残すことができるので、後の処理が容易となる。
【００２２】
【発明の効果】
以上の説明で明らかなように、請求項１に記載の発明によれば、グリーンシートを支持する支持台の表面であって、カット刃の降下位置より分離片側の部位に、上記分離片の倒れを許容する逃がし部を設けたので、カット時に逃がし部側へ倒れ込むことによって、切断面の曲がりが抑制される。そのため、分離片の変形が塑性変形として残らず、端面形状の良好な製品を得ることができる。
【図面の簡単な説明】
【図１】従来のカット装置の概略構造図である。
【図２】図１のカット装置におけるカット部分の拡大図である。
【図３】図１のカット装置によってカットされた分離片の側面図である。
【図４】本発明にかかるカット装置の第１実施例の側面図である。
【図５】図４のカット装置のカット刃を変更した例の側面図である。
【図６】本発明にかかるカット装置の第２実施例の側面図である。
【図７】本発明にかかるカット装置の第３実施例の側面図である。
【符号の説明】
１０        テーブル
１１        凹段部（逃がし部）
１２，１３  カット刃
１４        傾斜面（逃がし部）
１５        弾性部材（逃がし部）
Ｇ          グリーンシート
【図１】
0004178303.tif 000002
【図２】
0004178303.tif 000003
【図３】
0004178303.tif 000004
【図４】
0004178303.tif 000005
【図５】
0004178303.tif 000006
【図６】
0004178303.tif 000007
【図７】
0004178303.tif 000008